(57)【特許請求の範囲】
【請求項１】
液晶セルと、一方の面に微細な凹凸面を有し他方の面を平滑面とした導光板と、この導光板の一端部側に配設した光源を有する照明装置とを備え、前記液晶セルと、前記照明装置が取り付けられた前記導光板とを順番に積層して保持するケース部材を有し、前記照明装置には前記ケース部材に係合可能な係合部を形成し、前記ケース部材には前記係合部が係合して支持可能な支持部を形成し、前記照明装置は、前記光源を保持可能なホルダー部材を有し、前記係合部は、前記ホルダー部材から前記導光板の幅方向の両側面と平行方向に延出形成し、前記支持部は、上面の高さを、ケース部材の外側を高く内側を低くした傾斜面を設け、前記支持部は、前記係合部を前記支持部上に位置させて前記照明装置を前記支持部に押圧することにより、前記係合部を前記支持部にスナップ係合して取り付け可能としたことを特徴とする液晶表示装置。
【請求項２】
前記液晶セルの裏面には反射部材が備えられたことを特徴とする請求項１に記載の液晶表示装置。
【請求項３】
前記係合部は、前記支持部の傾斜面と同方向に傾斜させて形成したことを特徴とする請求項１または請求項２に記載の液晶表示装置。
【請求項４】
前記ホルダー部材は金属板からなり、前記係合部がスパイラル状にねじられて前記支持部の傾斜面と同方向に傾斜させて形成されたことを特徴とする請求項３に記載の液晶表示装置。
【請求項５】
前記液晶セルと前記導光板との間に所定寸法のギャップを設けるためのスペーサを配設したことを特徴とする請求項１から請求項４のいずれかに記載の液晶表示装置。
【請求項６】
前記ホルダー部材に第１係合部を形成し、前記導光板には前記一端部側と対向する他端部側に第２係合部を形成し、前記ケース部材は、外形を矩形状に形成して互いに対向する第１と第２の側部と、この第１と第２の側部と直交する方向に互いに対向する第３と第４の側部とを有し、前記第１側部側に前記照明装置を位置させると共に前記第２側部側に前記導光板の前記他端部側を位置させた時に、前記第１係合部が位置する部分の前記第３、第４側部に前記第１支持部を形成し、前記第２係合部が位置する部分の前記第２側部、または前記第３、第４側部に前記第２支持部を形成し、前記第２係合部を前記第２支持部にスライド係合させ、前記第１支持部に前記第１係合部をスナップ係合するようにしたことを特徴とする請求項１から請求項５のいずれかに記載の液晶表示装置。
【請求項７】
前記導光板は、前記他端部側近傍の前記両側面から外方に突出させて前記第２係合部を形成し、この第２係合部を前記第２支持部にスライド係合して取り付け可能としたことを特徴とする請求項６に記載の液晶表示装置。
【請求項８】
前記ケース部材の色を黒色にしたことを特徴とする請求項１から請求項７のいずれかに記載の液晶表示装置。
【発明の詳細な説明】
【０００１】
【発明の属する技術分野】
本発明は液晶表示装置に係わり、携帯電話、テレビジョン、自動車、玩具等の表示に使用される液晶表示装置に関する。
【０００２】
【従来の技術】
従来の液晶表示装置の概略構造を図８で説明すると、まず、液晶セル２１は、ガラスからなる一対の絶縁基板２２、２３との間に液晶（図示せず）を封入し、一対の絶縁基板２２、２３の上面に偏光板２４を貼付している。
また、反射部材２６は、透明樹脂材料の下面に反射部２６ａを設けて、液晶セル２１の裏面に貼付されている。前記反射部材２６は、ケース部材２７の底板２７ａ上に貼付されて固着されている。
また、ケース部材２７は、白色の樹脂材料からなり、成形加工により形状が矩形に形成されていた。
【０００３】
また、液晶セル２１の上面には、透明の樹脂材料からなる導光板２８が両面テープ等により貼付されて配設され、この導光板２８の図示左側の一端部２８ａ側には、照明装置２９が配設されている。
この照明装置２９は、ＬＥＤ等からなる光源３０を有し、この光源３０はホルダー部材３１に保持されている。
そして、ホルダー部材３１は、図８の紙面に対して垂直方向に延びて形成され、導光板２８の一端部２８ａに沿って配設されている。
【０００４】
このような照明装置２９のホルダー部材３１は、金属板をプレス等でコ字状に折り曲げて、３つの面からなるそれぞれの内部壁３１ａが形成されている。
また、導光板２８、液晶セル２１、反射部材２６のそれぞれを積層した状態で、反射部材２６がケース部材２７の底板２７ａに固着すると共に、導光板２８、液晶セル２１、反射部材２６のそれぞれの外周部には、白色の樹脂材料からなるケース部材２７の側壁２７ｂが位置するようになっている。
【０００５】
このような構成の液晶表示装置は、光源３０を点灯すると、この光がホルダー部材３１の内部壁３１ａで反射され、この反射光が導光板２８の一端部２８ａから本体部２８ｂ内に入射される。
この本体部２８ｂ内に入射した光は、本体部２８ｂ内から図示下方側に屈折され、本体部２８ｂの裏面から液晶セル２１側に出射される。
【０００６】
そして、この液晶セル２１側に出射された光は、液晶セル２１を通過して下部の反射部材２６で図示上方に反射される。そして、この反射光が再度液晶セル２１と導光板２８を透過し、液晶セル２１の文字等の表示画像を読みとることができるようになっている。
【０００７】
【発明が解決しようとする課題】
しかし、前述したように従来の液晶表示装置は、カバー部材２７が白色の樹脂材料で形成されていたので、光源３０を点灯したときの光が、導光板２８の本体部２８ｂ内に入射し、この入射光がケース部材２７の側壁２７ｂに照射されると、図９に示す光Ａ、Ｂが、側壁２７ｂで乱反射して、導光板２８に照光ムラが発生する問題があった。そして、導光板２８を透して見える液晶セル２１の文字等の画像に明るさのムラが発生して、文字等の画像表示が見難くなることがあった。
【０００８】
また、導光板２８は、照明装置２９を取り付けた状態で液層セル２１の上面に両面テープ等で貼着していたために、両面テープを貼り付ける作業に時間が掛かり、組立性が悪かった。
また、液晶セル２１の上面に導光板２８を両面テープ等で貼着していると、修理等で液晶セル２１と導光板２８とを分解するときの分解性が悪かった。
本発明は、前述のような課題を解決して、光源からの光がケース部材の側壁で乱反射するのを防止すると共に、照明装置を取り付けた状態の導光板をケース部材にスナップ係合して取り付けるようにして、組立性と分解性とを良くした液晶表示装置を提供することを目的とするものである。
【０００９】
【課題を解決するための手段】
前記課題を解決するための第１の解決手段として本発明の液晶表示装置は、液晶セルと、一方の面に微細な凹凸面を有し他方の面を平滑面とした導光板と、この導光板の一端部側に配設した光源を有する照明装置とを備え、前記液晶セルと、前記照明装置が取り付けられた前記導光板とを順番に積層して保持するケース部材を有し、前記照明装置には前記ケース部材に係合可能な係合部を形成し、前記ケース部材には前記係合部が係合して支持可能な支持部を形成し、前記照明装置は、前記光源を保持可能なホルダー部材を有し、前記係合部は、前記ホルダー部材から前記導光板の幅方向の両側面と平行方向に延出形成し、前記支持部は、上面の高さを、ケース部材の外側を高く内側を低くした傾斜面を設け、前記支持部は、前記係合部を前記支持部上に位置させて前記照明装置を前記支持部に押圧することにより、前記係合部を前記支持部にスナップ係合して取り付け可能とした構成とした。また、前記課題を解決するための第２の解決手段として、前記液晶セルの裏面には反射部材が備えられた構成とした。
【００１０】
また、前記課題を解決するための第３の解決手段として、前記係合部は、前記支持部の傾斜面と同方向に傾斜させて形成した構成とした。また、前記課題を解決するための第４の解決手段として、前記ホルダー部材は金属板からなり、前記係合部がスパイラル状にねじられて前記支持部の傾斜面と同方向に傾斜させて形成された構成とした。
【００１１】
また、前記課題を解決するための第５の解決手段として、前記液晶セルと前記導光板との間に所定寸法のギャップを設けるためのスペーサを配設した構成とした。
【００１２】
また、前記課題を解決するための第６の解決手段として、前記ホルダー部材に第１係合部を形成し、前記導光板には前記一端部側と対向する他端部側に第２係合部を形成し、前記ケース部材は、外形を矩形状に形成して互いに対向する第１と第２の側部と、この第１と第２の側部と直交する方向に互いに対向する第３と第４の側部とを有し、前記第１側部側に前記照明装置を位置させると共に前記第２側部側に前記導光板の前記他端部側を位置させた時に、前記第１係合部が位置する部分の前記第３、第４側部に前記第１支持部を形成し、前記第２係合部が位置する部分の前記第２側部、または前記第３、第４側部に前記第２支持部を形成し、前記第２係合部を前記第２支持部にスライド係合させ、前記第１支持部に前記第１係合部をスナップ係合するようにした構成とした。
【００１３】
また、前記課題を解決するための第７の解決手段として、前記導光板は、前記他端部側近傍の前記両側面から外方に突出させて前記第２係合部を形成し、この第２係合部を前記第２支持部にスライド係合して取り付け可能とした構成とした。
【００１４】
また、前記課題を解決するための第８の解決手段として、前記ケース部材の色を黒色にした構成とした。
【００１５】
【発明の実施の形態】
以下に、本発明の液晶表示装置の１実施の形態について図面を用いて説明する。まず、図１は本発明の液晶表示装置の要部断面図であり、図２は図１の要部拡大図であり、図３は照明装置を取り付けた状態の導光板の平面図であり、図４は図３のＥ部を拡大した斜視図であり、図５は照明装置と導光板とを一体化したものとケース部材との斜視図であり、図６は照明装置の第１係合部をケース部材の第１支持部にスナップ係合させた斜視図であり、図７は照明装置の第１係合部とケース部材の第１支持部との関係を説明する概略図である。
【００１６】
本発明の液晶表示装置を、図１に基づいて説明すると、まず、液晶セル１は、上下２枚の矩形状のガラス板からなる一対の絶縁基板２、３を互いに対向させて配設され、この一対の絶縁基板２、３の間に液晶（図示せず）が封入されている。
また、液晶を封入した状態の一対の絶縁基板２、３の上面には、偏光板４が貼付されて液晶セル１が構成されている。
【００１７】
また、液晶セル１の裏面である図示下方には反射部材６が配設されており、この反射部材６は、フィルム状の透明材料からなる基材６ａの一面に、例えば銀層からなる反射部６ｂが形成されている。
また、反射部材６の下部には、照射された光を吸収して乱反射を防ぐことが可能な黒色の樹脂材料（材質ＰＣ／ＡＢＳ）からなるケース部材７が配設されている。このケース部材７は、液晶セル１を載置可能な矩形状で略箱形に形成され、薄肉に形成された底部７ａで液晶セル１の下面全体を保護するようになっている。
【００１８】
また、ケース部材７は、図５に示すように、矢印Ｐの長手方向の右端部に第１側部７ｂが形成され、この第１側部７ｂ側に後述する照明装置９が位置するようになっている。
また、第１側部７ｂと対向する側の矢印Ｐの長手方向の左端部に第２側部７ｃが形成されている。そして、第１と第２の側部７ｂ、７ｃと直交する方向に第３と第４の側部７ｄ、７ｅとが形成されている。
これら第１〜第４の側部７ｂ〜７ｅは、厚さが０．６ｍｍ以下の薄肉に形成され、この第１〜第４の側部７ｂ〜７ｅによって、液晶セル１および後述する導光板８の外周が覆われるようになっている。
【００１９】
また、ケース部材７には、後述する照明装置９の第１係合部１１ｂがスナップ係合可能な第１支持部Ｃが形成され、この第１支持部Ｃは第１側部７ｂ近傍の第３、第４側部７ｄ、７ｅの上部に形成されている。
前記第１支持部Ｃは、図６に示すように、逆Ｌ字状の鈎状に形成されて、上面の高さをケース部材７の外側より内側を低くした傾斜面７ｆを有し、この傾斜面７ｆに沿って、後述する第１係合部１１ｂが第１支持部Ｃにスナップ係合可能になっている。
また、ケース部材７は、第２側部７ｃ近傍の第３、第４側部７ｄ、７ｅの上部に、後述する導光板８に形成した第２係合部８ｇがスライド係合可能な第２支持部Ｄがケース部材７の内方に向けて形成されている。
【００２０】
即ち、第１側部７ｂ上に照明装置９を位置させ第２側部７ｃ上に導光板８の他端部８ｄ側を位置させた時に、第１係合部１１ｂが位置する部分の第３、第４側部７ｄ、７ｅに第１支持部Ｃが形成され、第２係合部８ｇが位置する部分の第３、第４側部７ｄ、８ｅに第２支持部Ｄが形成されている。
この第２支持部Ｄは、第３、第４側部７ｄ、７ｅの左端部近傍の第２側部７ｃに形成したものでも良い。または、第３側部７ｄの左端部と第２側部７ｃとのコーナ部、および第４側部７ｅの左端部と第２側部７ｃとのコーナ部の上部を覆うように第２支持部Ｄを掛け渡し形成したものでも良い。
そして、ケース部材７は、第３、第４側部７ｄ、７ｅ間が寸法Ｅで形成され、一対の第２支持部Ｄ間が寸法Ｆで形成されている。
【００２１】
また、図１に示す液晶セル１の上面には、平板状の導光板８が配設され、この導光板８は、図示左側に一端部８ａが平坦状に形成された本体部８ｂを有し、この本体部８ｂは、透明な樹脂材料で形状が矩形状に形成されている。
また、導光板８の本体部８ｂは、図２に示すように、一方の面である表面８ｃが微細な凹凸（図示せず）面で形成され、他方の面である図示下部の裏面は平滑面になっている。また、導光板８は、一端部８ａと対向する側の他端部８ｄが平坦状に形成され、図３に示すように、本体部８ｂの左右両側面８ｅ、８ｆによって幅寸法Ｇに形成されている。
【００２２】
また、導光板８は、他端部８ｄ近傍の左右両側面８ｅ、８ｆから本体部８ｂの外方に突出する第２係合部８ｇが形成されている。
前記導光板８は、第２係合部８ｇを含んだ幅寸法がＨで形成され、この幅寸法Ｈは、ケース部材７の第２支持部Ｄの幅寸法Ｆより大きく形成されて、第２係合部８ｇが第２支持部Ｄにスライド係合可能になっている。
【００２３】
また、図１に示す導光板８の一端部８ａ側には、照明装置９が配設されている。この照明装置９は、ＬＥＤ等からなる一対の光源１０を有し、この一対の光源１０を保持可能なホルダー部材１１が配設されている。
このホルダー部材１１は、ステンレス等の弾性のある金属板からなり、図１に示す断面形状がコ字状の３つの面からなる内部壁１１ａが形成されている。
そして、光源１０を点灯した時の光が内部壁１１ａで反射され、この反射光が導光板８の一端部８ａから本体部８ｂに入射するようになっている。
また、ホルダー部材１１は図３に示すように、導光板８の一端部８ａに沿って横長状に形成され、図示左右の両端部の内部に光源１０がそれぞれ対向して取り付けられている。
【００２４】
前記ホルダー部材１１は、図３に示すように、左右両端部から導光板８の両側面８ｅ、８ｆと平行方向に延出形成された一対の第１係合部１１ｂを有し、この第１係合部１１ｂは、ケース部材８の第１支持部Ｃにスナップ係合可能になっている。
また、第１係合部１１ｂには、図３、図５に示すＳ部の拡大図である図４に示すように、所定の深さの溝部１１ｃが形成され、この溝部１１ｃが図６に示すように、ケース部材７の第１支持部Ｃにスナップ係合可能になっている。
また、第１係合部１１ｂは、図４に示すように、第１支持部Ｃの傾斜面７ｆと同方向に傾斜させるように、下方側が矢印Ｊ方向にスパイラル状にねじられて形成されている。
【００２５】
また、図３に示す一対の光源１０、１０間には、透明で角棒状のライトガイドパイプ１２が、３つの面からなるそれぞれの内部壁１１ａに密着するように配設されて、光源１０を点灯したときの光を、導光板８の本体部８ｂ内に均等に出射するようになっている。
前記照明装置９に形成した第１係合部１１ｂと、ケース部材７の第１支持部Ｃとの寸法関係を図７に基づいて説明する。まず、ケース部材７に形成された互いに対向する一対の第１支持部Ｃ間が寸法Ｋで形成されている。
また、照明装置９に互いに対向してスパイラル状にねじられて形成された一対の第１係合部１１ｂ間の寸法は、下部間の寸法Ｍが上部の溝部１１ｃ間の寸法Ｎより狭くなっている。
【００２６】
また、第１係合部１１ｂの下部間の寸法Ｍは、第１支持部Ｃ間の寸法Ｋと同等かそれより狭くなるように形成されている。このような寸法に形成された照明装置９の第１係合部１１ｂを、図７Ｂの２点鎖線で示すように、第１支持部Ｃ上に位置させると、第１係合部１１ｂの下部が第１支持部Ｃの傾斜面７ｆより内側に位置するので、第１係合部１１ｂの下部が傾斜面７ｆに引っ掛かることがなく、第１係合部１１ｂをスムーズに第１支持部Ｃにスナップ係合させることができる。
【００２７】
また、第１係合部１１の溝部１１ｃ間の寸法Ｎは、第１支持部Ｃ間の寸法Ｋと同等かそれより広く形成されている。そのために、第１支持部Ｃにスナップ係合した第１係合部１１ｂは、第１支持部Ｃから抜け出すことがなく、強固なスナップ係合が可能となる。
また、第１支持部Ｃにスナップ係合した第１係合部１１ｂを外すには、一対の第１支持部Ｃの先端部に力を加えて外側に弾性変形させ、第１支持部Ｃ間の寸法Ｋを変化させて、第１係合部１１ｂ間の寸法Ｎより大きくすることにより、第１支持部Ｃから第１係合部１１ｂを容易に取り出し可能になっている。
【００２８】
また、図１に示す液晶セル１と導光板８との間には樹脂材料から板厚の薄いスペーサ１３が配設されている。このスペーサ１３は、図５に示すように、ケース部材７のそれぞれの第１〜第４側部７ｂ〜７ｅに内接する細幅の連結部１３ａが形成され、この連結部１３ａに囲まれて矩形状の窓部１３ｂが形成されている。
この窓部１３ｂは、液晶セル１の文字等の画像の表示範囲より大きく形成されているので、液晶セル１の表示画像がスペーサ１３で阻害されることがない。
そして、スペーサ１３上に導光板８を位置させると、窓部１３ｂが形成された部分の液晶セル１と導光板８との間には所定寸法のギャップが形成されるので、液晶セル１の文字等の画像表示部にニュートンリング等の緩衝縞（図示せず）が発生するのを防止できる。
【００２９】
このような本発明の液晶装置の組立は、まず、ケース部材７の底板７ａ上に反射部材６を粘着した液晶セル１を載置し、この液晶セル１の上にスペーサ１３を載置する。
次に、液晶セル１の上に照明装置９を取り付けた状態の導光板８を位置させ、図５に示すように、導光板８の第２係合部８ｇをケース部材７の第２支持部Ｄにスライド係合させる。
この時、照明装置９側の第１係合部１１ｂが、ケース部材７の第１支持部Ｃ上に位置する。
【００３０】
このような状態のホルダー部材１１を、上方から手作業等で下方に押圧すると、スパイラル状にねじられた第１係合部１１ｂが、傾斜面７ｆに案内されて第１支持部Ｃを外側に弾性変形させながら、第１係合部１１ｂが傾斜面７ｆから外れて、図７Ｂに示すように、溝部１１ｃが第１支持部Ｃにスナップ係合される。
このように、照明装置９とこの照明装置９を取り付けた導光板８とを、スライド係合とスナップ係合とによりケース部材７に取り付けて、本発明の液晶表示装置が組立られている。
そのために、本発明の液晶表示装置は、導光板８を両面テープ等で液晶セルに粘着しなくても良く、組立性と分解性とが良い。
【００３１】
このように組立された液晶表示装置を、外周が明るい例えば昼間に使用する場合は、昼間の明るい光が、導光板８の微細な凹凸面からなる表面８ｃから本体部８ｂ内に入射し、この光が下方の液晶セル１を透過して、反射部材６によって図示上方に反射される。
この図示上方に反射される反射光が、再度液晶セル１に入射し、導光板８の表面から外部に出射される。この外部に出射される光によって、液晶セル１の文字等の表示画像を鮮明に読みとることができる。
【００３２】
また、本発明の照明装置を用いた液晶表示装置を、外周が暗い例えば夜間等で使用する場合は、光源９を点灯することにより、液晶セル１の文字等の表示画像を鮮明に読み取り可能となっている。
このような光源９を点灯させたときの光は、図２の模式図に示すように、ライトガイドパイプ１２内に導かれて、反射効率の高い鏡面状の内部壁１１ａで反射されて、導光板８の一端部８ａから本体部８ｂ内に入射する。
【００３３】
この本体部８ｂ内に入射した光の一部は、導光板８の本体部８ｂの表面の凹凸（図示せず）面に反射して導光板８の裏面から図示下部の液晶セル１側に向かって出射される。
【００３４】
そして、導光板８の裏面から出射された光は、液晶セル１を透過して反射板６ｂの反射部６ｂで図示上方に反射され、この反射光が再度液晶セル１を透過して、上部の導光板８の裏面から本体部８ｂ内に入射する。
前記本体部８ｂ内に入射した光は、本体部８ｂの表面から外部に出射され、この外部に出射する光によって、周囲が暗くとも、導光板８を透して液晶セル１の文字等の表示画像を鮮明に表示できる。
【００３５】
【発明の効果】
本発明の液晶表示装置は、照明装置と導光板とにはケース部材に係合可能な係合部を形成し、ケース部材には前記係合部が係合して支持可能な支持部を形成し、前記係合部を前記支持部に係合させて、前記照明装置が取り付けられた前記導光板を前記ケース部材に取り付けたので、係合部を支持部に係合させるだけで照明装置と導光板とをケース部材に取り付けることができ、組立性と分解性の良い液晶表示装置を提供できる。
【００３６】
また、液晶セルと導光板との間に所定寸法のギャップを設けるためのスペーサを配設したので、液晶セルの文字等の画像表示部にニュートンリング等の緩衝縞が発生するのを防止でき、導光板を介して鮮明な画像表示を行うことができる。
【００３７】
また、第２係合部を第２支持部にスライド係合させ、第１支持部に第１係合部をスナップ係合するようにして、照明装置と導光板とをケース部材に取り付けるようにしたので、組立性の良い液晶表示装置を提供できる。
【００３８】
また、ホルダー部材は金属板からなり、第１係合部を第１支持部上に位置させて前記照明装置を第１支持部に押圧することにより、第１係合部を第２支持部にスナップ係合して取り付け可能としたので、組立性が良い。
【００３９】
また、前記第１支持部は、上面の高さをケース部材の外側を高く内側を低くした傾斜面を設け、前記第１係合部は、前記傾斜面と同方向に傾斜させて形成したので、傾斜面に沿って、第１係合部を第１支持部にスナップ係合することができ、組立作業性が良い。
【００４０】
また、前記導光板は、前記他端部側近傍の前記両側面から外方に突出させて前記第２係合部を形成し、この第２係合部を前記第２支持部にスライド係合して取り付け可能としたので、組立作業性の良い液晶表示装置を提供できる。
【００４１】
また、液晶セル、導光板、照明装置、反射部材のそれぞれを積層して保持するケース部材を有し、このケース部材の色を黒色にしたので、導光板に入射してケース部材の側部に到達した光源の光は、黒色の側部で吸収されて、乱反射せず、照光ムラのない高性能な液晶表示装置を提供できる。
【図面の簡単な説明】
【図１】本発明の液晶表示装置の要部断面図である。
【図２】図１の要部拡大図である。
【図３】照明装置を取り付けた状態の導光板の平面図である。
【図４】図３のＳ部を拡大した斜視図である。
【図５】照明装置を取り付けた導光板とケース部材との斜視図である。
【図６】第１係合部を第１支持部にスナップ係合させた要部拡大斜視図である。
【図７】第１係合部と第１支持部との寸法関係を説明する概略図である。
【図８】従来の液晶表示装置の要部断面図である。
【図９】従来の液晶表示装置の加太を説明する概略図である。
【符号の説明】
１  液晶セル
２  絶縁基板
３  絶縁基板
４  偏光板
６  反射部材
６ａ  基材
６ｂ  反射部
７  ケース部材
Ｃ  第１支持部
Ｄ  第２支持部
８  導光板
８ｇ  第２係合部
８ａ  一端部
８ｂ  本体部
９  照明装置
１０  光源
１１  ホルダー部材
１１ｂ  第１係合部
１１ａ  内部壁
１２  ライトガイドパイプ
１３  スペーサ
【図１】
0003859956.tif 000002
【図２】
0003859956.tif 000003
【図３】
0003859956.tif 000004
【図４】
0003859956.tif 000005
【図５】
0003859956.tif 000006
【図６】
0003859956.tif 000007
【図７】
0003859956.tif 000008
【図８】
0003859956.tif 000009
【図９】
0003859956.tif 000010